(57)【要約】【課題】遠見での散瞳を防ぎ、遠見縮瞳の起こりづらい訓練者に対し、視力の回復訓練効果をさらに向上できる視力回復訓練装置を提供する。【解決手段】マーク６を表示する表示部５と、表示部５の表示を制御する表示制御部と、筐体内部空間１の明るさを変えるための調光機能を持つ照明部１７を備え、明るさ制御部１６は、照明部１７の出力光を制御し、接眼部３とマーク６との光学距離が増加するにつれて筐体内部空間１の明るさを明るくする。【選択図】図４
2009273837.tif 000002
【特許請求の範囲】
【請求項１】
目の結像調節機能の訓練を行う視力回復訓練装置であって、
筐体内部に設けた、視力回復訓練用画像を表示する表示部と、
前記表示部の表示を制御する表示制御部と、
前記筐体内部の空間を照明する照明部と、
前記筐体内部の空間の明るさを、訓練者の目位置と前記表示部の位置との光学距離に応じて変化させる明るさ制御部とを備え、
前記明るさ制御部は、前記光学距離が増加するにつれて前記筐体内部の空間の明るさを明るくすることを特徴とする視力回復訓練装置。
【請求項２】
請求項１記載の視力回復訓練装置であって、
前記明るさ制御部は、前記訓練者の瞳孔径に応じて前記筐体内部の空間の明るさを制御することを特徴とする視力回復訓練装置。
【請求項３】
請求項１または２記載の視力回復訓練装置であって、
前記表示制御部は、前記光学距離に応じて、前記視力回復訓練用画像が前記訓練者の網膜上に、一定のサイズで投影されるように前記視力回復訓練用画像の表示サイズを変化させることを特徴とする視力回復訓練装置。
【発明の詳細な説明】
【技術分野】
【０００１】
本発明は、目の結像調整機能の訓練を行う視力回復訓練装置に関するものである。
【背景技術】
【０００２】
一般に、視力の低下は、目の調節筋（毛様体筋）の調節緊張や衰弱によって目の結像調節機能が低下することが一因と考えられている。
【０００３】
従来技術として、訓練者に対し、容易に視力回復訓練用画像にのみ意識を集中させ、また、集中度合いを安定させることで訓練者の疲労感などの負担を軽減して訓練効果の向上を図ることができる視力回復訓練装置が開示されている（例えば、特許文献１参照）。
【０００４】
上記従来の視力回復訓練装置は、筐体内部に設けた、視力回復訓練用画像（マーク）を表示する表示部と、表示部の表示を制御する表示制御部と、筐体内部空間の明るさを、訓練者の目位置と表示部の位置との光学距離に反比例して変化させるものである。この構成によれば、マークが近づくにつれて筐体内部空間の明るさを明るく、遠ざかるにつれて暗くすることにより、マークの明るさが常に一定である場合に生じる、マークへの集中度合いの変化を抑制することができるため、訓練者の疲労感を軽減して訓練効率を向上させることができる。
【０００５】
【特許文献１】特開２００７−０１４４１７号公報
【発明の開示】
【発明が解決しようとする課題】
【０００６】
ところで、近年の研究により、近視の訓練者が前記従来の視力回復訓練装置を使用して訓練する場合、特に遠見縮瞳（遠くを見た時に瞳孔が縮むこと）により視力が回復するという視力回復のメカニズムが明らかとなった。これに対し、前記特許文献１に記載されているように、訓練者の目位置とマークとの光学距離が近づくにつれて筐体内部空間の明るさを明るく、遠ざかるにつれて暗くした場合、瞳孔が明るさに反応して遠くで散瞳することとなる。これは、視力を改善させるための縮瞳とは、逆反応である。
【０００７】
すなわち、前記従来の構成は、遠見縮瞳が起こりづらいものであるため、視力回復メカニズムの観点から、改良の余地があるといえる。
【０００８】
本発明は、前記従来の事情に鑑みてなされたものであって、遠見での散瞳を防ぎ、さらに効率よく視力回復訓練できる視力回復訓練装置を提供することを目的とする。
【課題を解決するための手段】
【０００９】
本発明の視力回復訓練装置は、目の結像調節機能の訓練を行う視力回復訓練装置であって、筐体内部に設けた、視力回復訓練用画像を表示する表示部と、前記表示部の表示を制御する表示制御部と、前記筐体内部の空間を照明する照明部と、前記筐体内部の空間の明るさを、訓練者の目位置と前記表示部の位置との光学距離に応じて変化させる明るさ制御部とを備え、前記明るさ制御部が、前記光学距離が増加するにつれて筐体内部空間の明るさを明るくすることを特徴としたものである。
【００１０】
上記構成によれば、訓練者の目位置と表示部の位置との光学距離の増加に応じて筺体内部空間の明るさを明るくすることにより、遠見での散瞳を防ぐことができるため、効率よく視力回復訓練ができる
【００１１】
また、本発明の視力回復訓練装置は、前記明るさ制御部が、前記訓練者の瞳孔径に応じて前記筐体内部の空間の明るさを制御することを特徴としたものである。
【００１２】
上記構成によれば、縮瞳の程度にあわせて訓練できるため、さらに効率よく視力回復訓練ができる。
【００１３】
さらに、本発明の視力回復訓練装置において、前記表示制御部が、前記光学距離に応じて、前記視力回復訓練用画像が前記訓練者の網膜上に、一定のサイズで投影されるように前記視力回復訓練用画像の表示サイズを変化させることを特徴としたものである。
【００１４】
上記構成によれば、網膜上に結像する図形の大きさが一定となるので、目の結像調整機能を効率よく訓練できる。
【発明の効果】
【００１５】
本発明の視力回復訓練装置によれば、遠見での散瞳を防ぎ、効率よく視力回復訓練ができる。さらに、意図的にマークが遠ざかるにつれ、筐体内部空間の明るさを明るくし、瞳孔が明るさに反応して縮瞳するように明るさを制御すれば、訓練者に縮瞳すればよく見えるということを摺りこむことができ、特に訓練初期段階の遠見縮瞳の起こりづらい訓練者に対し、視力回復訓練効果をさらに向上することができる。
【発明を実施するための最良の形態】
【００１６】
以下に、本発明の視力回復訓練装置の実施の形態を図面とともに詳細に説明する。
【００１７】
（実施の形態）
図１は、本発明の実施形態の視力回復訓練装置の要部概略構成の一例を説明するための斜視図である。図１において、本装置は、大別して筐体内部空間１と注視部移動手段格納部２の二つの構成要素から構成する。本装置は、筐体内部空間１の壁面の一つに接眼部３が設けられ、接眼部３から目視できる位置に注視部４を配置する。注視部４は、訓練者が注視するための視力回復訓練用画像であるマーク６を有する。接眼部３は、訓練者が目を当ててマーク６を見るためのもので、少なくとも一つ、好ましくは二つ設ける。そして、筐体内部空間１の明るさを変えるための調光機能を持つ照明部１７を有する。
【００１８】
本実施形態では、注視部４は訓練者が注視するためのマーク６を適宜変化できるように、例えば、ＣＲＴ（Cathode Ray Tube）、液晶ディスプレイ、有機ＥＬ（Electro-Luminescence）、等の発光素子によるディスプレイ等の電子的な表示手段である表示部５を有している。注視部４は、注視部移動手段格納部２内に収められた注視部移動手段によって往復運動し、接眼部３との距離を変化させる。
【００１９】
図２は、本発明の実施形態の視力回復訓練装置の断面状態を説明する図である。図２において、注視部移動手段は、例えばプーリー９とベルト１０でベルトコンベアを構成し、ベルト１０と注視部４を接続して、プーリー９を例えばモーター１１等で回転方向を変えて駆動させることによって注視部４を往復運動させたり、また、ボールねじのナットと注視部４を接続し、ボールねじを例えばモーター１１等で回転方向を変えて回転させることによって注視部４を往復運動させたりすることによって実現可能である。筐体内部空間１と注視部移動手段格納部２の境界は、注視部４と注視部移動手段を接続して往復運動させるのに必要最小限な開口２ｋを設ける。
【００２０】
注視部４は、支柱７又は他の適宜な支持手段を用いて台座８に固定されている。台座８は、プーリー９とベルト１０等で構成された搬送手段に載置される。モーター１１の動作と電子的な表示手段で構成された注視部４の表示は、後述する制御装置３０によって制御される。図示しないが、制御装置３０は、表示部５、モーター１１、照明部１７等と制御信号を送受信するための信号線で接続する。
【００２１】
図３は、本発明の実施形態の視力回復訓練装置の動作を制御する制御装置の概略機能ブロック図を示す。制御装置３０は、主制御部１２、注視部移動制御部１３、注視部表示制御部１４、明るさ制御部１６、操作部１５を含む。主制御部１２は、視力回復訓練装置全体の動作を制御する。主制御部１２は、操作部１５の指示に基づいて注視部移動制御部１３、注視部表示制御部１４及び明るさ制御部１６を制御する。
【００２２】
注視部移動制御部１３は、モーター１１に対する駆動信号を出力して注視部４の移動を制御する。その際、操作部１５の設定に応じた情報を主制御部１２から取得し、注視部４の移動範囲及び移動速度を制御する。注視部４は、連続的又は間欠的に移動してよい。
【００２３】
注視部表示制御部１４は、表示部５の表示を制御するものであり、接眼部３と注視部４との光学距離に比例した大きさのマーク６を表示させる。接眼部３と注視部４との光学距離の情報は、主制御部１２から取得する。接眼部３と注視部４との光学距離に比例した大きさのマーク６を表示するためのデータは、操作情報等を記憶する記憶手段（図示なし）に予め用意して記憶させておいたものを操作部１５で選択指定して用いても良いし、訓練者の希望のマーク６を操作部１５から入力して用いても良い。その場合には、接眼部３と注視部４との光学距離に比例した大きさのマーク６を表示するデータをその都度演算する必要がある。なお、マーク６については、文字、図形、記号、画像、等の訓練者が注目しやすく目の焦点をあわせやすいマーク６であれば何でも構わない。
【００２４】
このように、訓練者からの距離に比例した大きさで、互いに相似の形状のマーク６を表示させると、訓練者から見えるマーク６の大きさ及び形状がたとえ距離が変化しても実質的に変化しないため、訓練者の脳に入力される情報量も変化せず、楽に目の焦点を合わせることができ、遠見縮瞳を起こしやすいことが明らかになってきている。
【００２５】
明るさ制御部１６は、照明部１７の出力光を制御し、接眼部３と注視部４との光学距離に応じて筐体内部空間１の明るさを変化させるものである。接眼部３と注視部４との光学距離の情報は、主制御部１２から取得する。
【００２６】
図１に示す視力回復訓練装置の実施形態を用いて視力回復訓練を行う場合、訓練者は接眼部３から筐体内部空間１内を覗いて、注視部４上のマーク６を注視する。マーク６の位置は注視部４の移動によって変化するため、訓練者は位置の異なるマーク６を見ていることになる。したがって、マーク６の位置の変化に対応して、目の焦点を合わせる必要が生じ、毛様体筋等の目の結像調節機能を稼働させることによって、縮瞳を含めた結像調節機能が向上する。訓練者の目位置とマーク６との光学距離は、およそ正常視力者の近点距離と遠点距離との間で変化させることが好ましい。
【００２７】
図４は、接眼部３とマーク６との距離に正比例して筐体内部空間１内の明るさを変化させた場合の距離と明るさの関係の一例を示す。本実施形態では、接眼部３とマーク６との実際の距離と光学距離とは等しい。接眼部３とマーク６との光学距離は、訓練者の目位置からマーク６までの光学距離と概等しい。明るさ制御部１６は、操作部１５の設定に基づいて、照明部１７を制御するものであり、図４に示すように接眼部３とマーク６との距離に正比例して、筐体内部空間１内の明るさを増加させる。
【００２８】
上述の通り、特許文献１に記載された視力回復訓練装置では、遠点での筐体内部空間１内の明るさを減少させていたため、縮瞳を阻害する場合があったが、本実施例では、瞳孔が明るさに反応しない程度に、遠点での明るさの増加量を小さくすれば、当然縮瞳を阻害することは無く、マークへの集中度合いの変化を抑制し、訓練者の疲労感を軽減できる。さらに、意図的にマークが遠ざかるにつれ、筐体内部空間１内の明るさの増加量を大きくし、瞳孔が明るさに反応して縮瞳するように明るさを制御すれば、訓練者に縮瞳すればよく見えるということを繰り返し摺りこみ、訓練することができるため、特に訓練初期段階での遠見縮瞳の起こりづらい訓練者に対し、視力回復訓練効果を飛躍的に向上することができる。そして、訓練者が熟練してきた時には、明るさの増加量を下げていけばよい。
【００２９】
なお、この場合の筐体内部空間１内の明るさの変化は直線的な連続変化に限らない。縮瞳の反応速度を考慮し、訓練者の感じ方や、実際の縮瞳の反応動作の観察から遠見縮瞳の起こりやすいよう非線形としてもかまわない。また、マーク６の明るさの変化は、筐体内部空間１内の明るさとの組み合わせにより、訓練者に対して、より集中しやすく、遠見縮瞳しやすい状態を作り出しても良いし、マーク６の明るさは変化させず筐体内部空間１内の明るさの変化のみで実施しても良い。また、明るさの制御は、訓練者の瞳孔径を計測できる装置を設け、瞳孔径の変化を観測して増加量を設定してもよく、瞳孔径を観測しながらフィードバック制御しても良い。
【００３０】
以上説明したように、本発明の視力回復訓練装置は、遠見での散瞳を防ぎ、効率よく視力の回復訓練を実施できるという利点がある。さらに、意図的にマーク６が遠ざかるにつれ、筐体内部空間１の明るさを明るくし、瞳孔が明るさに反応して縮瞳するように明るさを制御すれば、訓練者に縮瞳すればよく見えるということを摺りこむことができ、特に訓練初期段階での遠見縮瞳の起こりづらい訓練者に対し、視力回復訓練効果がさらに向上するという利点がある。
【産業上の利用可能性】
【００３１】
本発明は、遠見での散瞳を防ぎ、遠見縮瞳の起こりづらい訓練者に対し、視力の回復訓練効果がさらに向上できる効果を有し、目の結像調整機能の訓練を行う視力回復訓練装置等に有用である。
【図面の簡単な説明】
【００３２】
【図１】本発明の実施形態の視力回復訓練装置の要部概略構成の一例を説明するための斜視図
【図２】本発明の実施形態の視力回復訓練装置の断面状態を説明する図
【図３】本発明の実施形態の視力回復訓練装置の動作を制御する制御装置３０の概略機能ブロック図
【図４】本発明の視力回復訓練装置の実施形態の一例として、接眼部３とマーク６との距離に正比例して筐体内部空間１内の明るさを増加させた場合の距離と明るさの関係を示す図
【符号の説明】
【００３３】
１ 筐体内部空間
２ 注視部移動手段格納部
３ 接眼部
４ 注視部
５ 表示部
６ マーク
７ 支柱
８ 台座
９ プーリー
１０ ベルト
１１ モーター
１２ 主制御部
１３ 注視部移動制御部
１４ 注視部表示制御部
１５ 操作部
１６ 明るさ制御部
１７ 照明部
３０ 制御装置
【図１】
2009273837.tif 000003
【図２】
2009273837.tif 000004
【図３】
2009273837.tif 000005
【図４】
2009273837.tif 000006